(57)【要約】【課題】  ケージの収容スペースからの操作ケーブルの落下を防ぐことのできるゴンドラ装置における操作ケーブルの落下防止構造を提供する。【解決手段】  ゴンドラ装置１０は、建築物１の屋上に設けられた台車１１によって一対の吊りワイヤー１２Ｌ，１２Ｒを介してケージ１３を吊下げ支持している。吊りアーム１１Ａの先端から垂下されて台車１１とケージ１３に設けられた操作盤１４とを接続する操作ケーブル１５には、複数の安全ロープ２０がそれぞれその端部で固縛結合されると共に、各々他端に設けられたスイベル式カラビナ２２で左右交互に吊りワイヤー１２Ｌ，１２Ｒに係合して所定間隔で設けられている。【選択図】  図１
0003105886.tif 000002
【実用新案登録請求の範囲】
【請求項１】
建築物の上部に配設された台車が垂下した吊りロープ部材によってケージを吊り下げ支持し、前記台車に設けられた昇降駆動装置による前記吊りロープ部材の巻き取り・繰り出しによって前記ケージを昇降させるゴンドラ装置において、前記台車から前記ケージに垂下配索された操作ケーブルの落下を防ぐものであって、
一端に前記吊りロープ部材に遊嵌する環状係合部材を備える所定長さの落下防止索部材が、前記環状係合部材を前記吊りロープ部材に遊嵌させると共に他端で操作ケーブルに固着結合され、前記吊りロープ部材と前記操作ケーブルを結んで配設されていることを特徴とするゴンドラ装置における操作ケーブルの落下防止構造。
【請求項２】
上記落下防止索部材は、前記操作ケーブルに所定間隔で複数配設されていることを特徴とする請求項１に記載のゴンドラ装置における操作ケーブルの落下防止構造。
【請求項３】
上記ケージは二条の吊りロープ部材によって吊り下げ支持されており、上記落下防止索部材は前記二条の吊りロープ部材に交互に結ばれていることを特徴とする請求項２に記載のゴンドラ装置における操作ケーブルの落下防止構造。
【請求項４】
上記落下防止索部材の環状係合部材は、スイベル式カラビナであることを特徴とする請求項１，２又は３に記載のゴンドラ装置における操作ケーブルの落下防止構造。
【考案の詳細な説明】
【技術分野】
【０００１】
本考案は、建築物の上部に配設された台車が、垂下した吊りロープ部材を介してケージを昇降可能に吊り下げ支持して成るゴンドラ装置において、台車とケージの間に配索された操作ケーブルの落下を防ぐ操作ケーブルの落下防止構造に関する。
【背景技術】
【０００２】
建築物における外壁面の清掃等の作業に用いられるゴンドラ装置として、建築物の屋上部に設けられた台車が、ワイヤーロープ等の吊りロープ部材を介してケージを昇降可能に吊下げ支持して成る所謂本設ゴンドラと呼ばれるものがある。（特許文献１参照）
このようなゴンドラ装置では、図６にその概略斜視図を示すように、台車１１′は、建築物の外壁周面より外側に突出するアーム１１Ａ′と内部に昇降機構を備えており、昇降機構からアーム１１Ａ′を介して配索されてその先端から垂下される吊りロープ部材１２′によってケージ１３′を吊下げ支持し、このケージ１３′を昇降機構による吊りロープ部材１２′の巻き取り・繰り出しによって昇降させるようになっている。
【０００３】
台車１１′とケージ１３′とは、台車１１′のアーム１１Ａ′から垂下された操作ケーブル１５′を介して接続されており、ケージ１３′に搭乗した作業者がケージ１３′に設けられた操作パネル１４′を介して当該ケージ１３′の昇降等の移動操作を行うことができるようになっている。
【０００４】
操作ケーブル１５′はケージ１３′の昇降ストロークと対応する長さを有しており、ケージ１３′が昇降ストロークの途中で余って弛むその下端部は、ケージ１３′に区画形成された収容スペース１３Ａ′に、その断面図である図７に示すように交互に屈曲させて収容されるようになっている。
【特許文献１】特開２０００−３２０１３３号公報
【考案の開示】
【考案が解決しようとする課題】
【０００５】
しかしながら、上記従来のごとくケージ１３′に操作ケーブル１５′の収容スペース１３Ａ′を設け、そこに操作ケーブル１５′の余剰分を交互に屈曲させて収容する構成では、何らかの原因で図７中に想像線で示すように操作ケーブル１５′が収容スペース１３Ａ′から弛み出ると、その自重で収容された全ての操作ケーブル１５′が収容スペース１３′から引き出されて落下する虞がある。そのようなことが生ずると、操作ケーブル１５′の切断による操作不能を招来するばかりでなく危険でもあるという問題がある。尚、ケージの昇降ストロークが大きなゴンドラ装置には台車側にモーターによって駆動される巻き取りリールを備えるものがあり、これによれば上記のごとき問題は生じないが、昇降ストロークの小さなゴンドラ装置の場合にはコストの上昇を招くという問題がある。
【０００６】
本考案は、上記問題に鑑みてなされたものであって、ケージの収容スペースからの操作ケーブルの落下を防ぐことのできるゴンドラ装置における操作ケーブルの落下防止構造を提供することを目的とする。
【課題を解決するための手段】
【０００７】
上記目的を達成する本考案の請求項１に係るゴンドラ装置における操作ケーブルの落下防止構造は、建築物の上部に配設された台車が垂下した吊りロープ部材によってケージを吊り下げ支持し、前記台車に設けられた昇降駆動装置による前記吊りロープ部材の巻き取り・繰り出しによって前記ケージを昇降させるゴンドラ装置において、前記台車から前記ケージに垂下配索された操作ケーブルの落下を防ぐものであって、一端に前記吊りロープ部材に遊嵌する環状係合部材を備える所定長さの落下防止索部材が、前記環状係合部材を前記吊りロープ部材に遊嵌させると共に他端で操作ケーブルに固着結合され、前記吊りロープ部材と前記操作ケーブルを結んで配設されていることを特徴とする。
【０００８】
この構成では、ケージの収容スペースに収容された操作ケーブルが収容スペースから弛み出た場合、環状係合部材で吊りロープ部材に係合する落下防止索部材が展張してその長さ以上の落下を阻止する。
【０００９】
請求項２に係るゴンドラ装置における操作ケーブルの落下防止構造は、上記落下防止索部材は、前記操作ケーブルに所定間隔で複数配設されていることを特徴とする。
【００１０】
この構成では、複数の落下防止索部材が、ケージの昇降位置に拘わらず操作ケーブルの弛み出しを防ぐ。
【００１１】
請求項３に係るゴンドラ装置における操作ケーブルの落下防止構造は、上記ケージは二条の吊りロープ部材によって吊り下げ支持されており、上記落下防止索部材は前記二条の吊りロープ部材に交互に結ばれていることを特徴とする。
【００１２】
この構成では、二条の吊りロープ部材に交互に結ばれた落下防止索部材が、吊りロープ部材のケージの収容スペースへの収容姿勢を規定してバランス良く整然と収容させるように作用すると共に、操作ケーブルの弛み出しを防ぐ。
【００１３】
請求項４に係るゴンドラ装置における操作ケーブルの落下防止構造は、上記落下防止索部材の環状係合部材は、スイベル式カラビナであることを特徴とする。
【００１４】
この構成では、スイベル式カラビナを吊りロープ部材に係合させることで、落下防止索部材を吊りロープ部材に装着できる。
【考案の効果】
【００１５】
請求項１に係るゴンドラ装置における操作ケーブルの落下防止構造によれば、一端に吊りロープ部材に遊嵌する環状係合部材を備える所定長さの落下防止索部材が、環状係合部材を吊りロープ部材に遊嵌させると共に他端で操作ケーブルに固着結合され、吊りロープ部材と操作ケーブルを結んで配設されていることにより、ケージの収容スペースに収容された操作ケーブルが収容スペースから弛み出ても、落下防止索部材が展張してその長さ以上の落下を阻止する。このため、全ての操作ケーブルが収容スペースから引き出されて落下してしまうことがなく、落下よるケーブルの破断や危険を防ぐことができる。
【００１６】
請求項２に係るゴンドラ装置における操作ケーブルの落下防止構造によれば、落下防止索部材は、操作ケーブルに所定間隔で複数配設されていることにより、複数の落下防止索部材が、ケージの昇降位置に拘わらず操作ケーブルの弛み出しを防ぎ、操作ケーブルの収容スペースからの落下を防止することができる。
【００１７】
請求項３に係るゴンドラ装置における操作ケーブルの落下防止構造によれば、ケージは二条の吊りロープ部材によって吊り下げ支持されており、落下防止索部材は二条の吊りロープ部材に交互に結ばれていることにより、二条の吊りロープ部材に交互に結ばれた落下防止索部材が、吊りロープ部材のケージの収容スペースへの収容姿勢を規定してバランス良く整然と収容させるように作用すると共に、操作ケーブルの弛み出しを防ぎ、操作ケーブルの収容スペースからの落下を防止することができる。
【００１８】
請求項４に係るゴンドラ装置における操作ケーブルの落下防止構造によれば、上記落下防止索部材の環状係合部材はスイベル式カラビナであることにより、落下防止索部材への吊りロープ部材の着脱を極めて容易に行うことができ、作業性が良いものである。
【考案を実施するための最良の形態】
【００１９】
以下、添付図面を参照して本考案を実施するための最良の形態について説明する。  
図１は本考案に係るゴンドラ装置における操作ケーブルの落下防止構造を適用したゴンドラ装置全体の斜視図，図２はその正面図である。
【００２０】
ゴンドラ装置１０は、建築物１（図１には示さず）の屋上に設けられた台車１１から吊りロープ部材としての一対の吊りワイヤー１２（１２Ｌ，１２Ｒ）を介してケージ１３を吊下げ支持している。
【００２１】
台車１１は、先端が建築物の外面より外側に突出するように附仰揺動可能な吊りアーム１１Ａを備え、建築物１の屋上にその外壁面に沿って敷設されたレール（図示せず）に沿って走行するようになっている。また、内部には吊りワイヤー１２を巻き取り・繰り出しする昇降機構（図示せず）を備えている。
【００２２】
吊りワイヤー１２は、台車１１の昇降機構から吊りアーム１１Ａに沿って配索され、吊りアーム１１Ａの先端に水平に設けられた横アーム１１Ｂの左右両先端からそれぞれ垂下されて、ケージ１３の左右両端に結合されている。
【００２３】
ケージ１３には操作盤１４が設けられており、この操作盤１４と台車１１とが、吊りアーム１１Ａの先端から垂下されたケージ１３の昇降ストロークと対応する長さの操作ケーブル１５を介して接続され、ケージ１３に搭乗した作業者が操作盤１４を介して台車１１の移動やケージ１３の昇降操作等を行うことができるようになっている。また、ケージ１３の建築物側には、操作ケーブル１５の収容スペース１３Ａが区画されており、この収容スペース１３Ａにケージ１３の昇降ストロークの途中で弛む操作ケーブル１５の下端部を屈曲収納するようになっている。
【００２４】
ここで、操作ケーブル１５には、落下防止索部材としての安全ロープ２０が長手方向全域に亘って所定間隔置きに設けられており、これら安全ロープ２０の他端は交互に左右の吊りワイヤー１２（１２Ｌ，１２Ｒ）と係合している。つまり、操作ケーブル１５は安全ロープ２０を介して吊りワイヤー１２と結ばれているものである。
【００２５】
安全ロープ２０は、図３に示すようにナイロンロープ２１の一端に環状係合部材としてのスイベル式カラビナ２２を備えて構成されており、そのスイベル式スイベル式カラビナ２２が吊りワイヤー１２に当該吊りワイヤー１２に沿って移動自在且つ離脱不能に係合し得るようになっている。そして、端部が操作ケーブル１５に固縛結合されると共にスイベル式カラビナ２２が吊りワイヤー１２に係合することで、操作ケーブル１５と吊りワイヤー１２の間に両者の離間をその長さに規制するように張設されている。尚、端部の操作ケーブル１５への結合は、単純に結び付けても金具等を用いても何れでも良い。
【００２６】
上記のごとく構成されたゴンドラ装置１０では、台車１１の昇降機構による吊りワイヤー１２の巻き取り・繰り出し駆動によってケージ１３が昇降する。ケージ１３の上昇時には、その上昇に伴って余る操作ケーブル１５は、前述のごとくその下端側がケージ１３の収容スペース１３Ａに屈曲収納される。
【００２７】
安全ロープ２０は、ケージ１３の収容スペース１３Ａ部位の断面図である図４に示すように、吊りロープ１５に係合するスイベル式カラビナ２２が吊りワイヤー１２のケージ１３との結合部に係止し、操作ケーブル１５の屈曲収容の自由度を損なうこと無く屈曲をある程度規定して整然と収納させるように作用する。また、万一操作ケーブル１５がケージ１３の上昇の際にその収容スペース１３Ａから弛み出たり、一旦収容された後に弛み出た場合、図５に示すように、安全ロープ２０が展張支持して安全ロープ２０の長さ以上の弛み出しを防ぐ。これにより、弛み出た操作ケーブル１５の重量で収容スペース１３Ａに収容された操作ケーブル１５が引き出されて全て落下してしまうことはなく、落下による切断や危険を防止することができるものである。
【００２８】
一方、ケージ１３の下降時には、その下降に伴ってケージ１３の収容スペース１３Ａに屈曲収納された操作ケーブル１５が引き出され、それに伴って安全ロープ２０も抵抗なく引き上げられる。
【００２９】
尚、安全ロープ２０は多く配設すればより効果的であるが、煩雑であるしコスト上昇を招くために１５ｍ程度の配設間隔とするのが好ましい。
【図面の簡単な説明】
【００３０】
【図１】本考案に係るゴンドラ装置における操作ケーブルの落下防止構造を適用したゴンドラ装置全体の斜視図である。
【図２】そのゴンドラ装置の正面図である。
【図３】安全ロープの正面図である。
【図４】操作ケーブルの収容状態を示すケージの断面図である。
【図５】安全ロープの作用を説明するケージの正面図である。
【図６】従来例としてのゴンドラ装置全体の斜視図である。
【図７】従来例としての安全ロープの収容状態を示すケージの断面図である。
【符号の説明】
【００３１】
１  建築物
１０  ゴンドラ装置
１１  台車
１２  吊りワイヤー
１３  ケージ
１３Ａ  収容スペース
１５  操作ケーブル
２０  安全ロープ（落下防止索部材）
２２  スイベル式カラビナ（環状係合部材）
【図１】
0003105886.tif 000003
【図２】
0003105886.tif 000004
【図３】
0003105886.tif 000005
【図４】
0003105886.tif 000006
【図５】
0003105886.tif 000007
【図６】
0003105886.tif 000008
【図７】
0003105886.tif 000009